(57)【要約】【課題】捕集効率を高め、使用する水のコストを低減する塗装ミスト捕集装置を提供する。【解決手段】塗装ミスト捕集装置が、捕集部と、捕集部の上流側にて水を供給する水供給装置と、気水取り込み口に向かう勾配を有し、水供給装置から供給された水を気水取り込み口に導く導水板と、捕集部を通じて捕集室内に導かれた気体を、捕集室外部へ排気する送風機と、を備え、捕集部は、気水取り込み口に接続された上流側通路を外周側とし、下流側通路を中央側として、水平方向に配置された旋回軸回りに旋回する風路である渦巻き状通路と、下流側通路が接続され、旋回軸方向において捕集室内へ開口された吐出口と、渦巻き状通路に設けられ、通路断面が絞られた絞り部と、を備える。【選択図】図１
2017140585.tif 000002
【特許請求の範囲】
【請求項１】
塗装室から吸引した塗装ミスト含有気体を水とともに通過させて捕集室へと導く風路を有し、風路を通過させることで塗装ミスト含有気体から塗装ミストを分離する捕集部と、
捕集部の上流側にて水を供給する水供給装置と、
風路の入り口である気水取り込み口に向かう勾配を有し、水供給装置から供給された水を気水取り込み口に導く導水板と、
捕集部を通じて捕集室内に導かれた気体を、捕集室外部へ排気する送風機と、を備え、
捕集部は、
気水取り込み口に接続された上流側通路を外周側とし、下流側通路を中央側として、水平方向に配置された旋回軸回りに旋回する風路である渦巻き状通路と、
下流側通路が接続され、旋回軸方向において捕集室内へ開口された吐出口と、
渦巻き状通路に設けられ、通路断面が絞られた絞り部と、を備える、塗装ミスト捕集装置。
【請求項２】
捕集部において、渦巻き状通路は、旋回軸回りに渦巻き状に配置された壁部材により画定され、
壁部材は、渦巻き状通路の外周側壁となる円弧状の外周側部分と、外周側部分よりも内側に配置され、渦巻き状通路の内周側壁となる内周側部分とを有し、
壁部材の内周側部分には複数の折れ曲がり部が絞り部として設けられている、請求項１に記載の塗装ミスト捕集装置。
【請求項３】
吐出口が向かい合うように、捕集部が複数配列されている、請求項１または２に記載の塗装ミスト捕集装置。
【請求項４】
渦巻き状通路の上流側通路において、気水取り込み口への接続部分は上下方向に延在している、請求項１から３のいずれか１つに記載の塗装ミスト捕集装置。
【発明の詳細な説明】
【技術分野】
【０００１】
本開示は、塗装室（塗装ブース）で発生する塗装ミスト含有気体から塗装ミストを分離して捕集し、空気を清浄化する塗装ミスト捕集装置に関するものである。
【背景技術】
【０００２】
塗装ブース中に飛散した塗装ミストを含む気体中から塗装ミストを分離して捕集し、その空気を外に排気する従来型の装置として、湿式捕集装置が知られている（例えば、特許文献１参照）。
【０００３】
このような従来の湿式捕集装置について図７を参照しながら説明する。
【０００４】
図７に示すように塗装ブース５０１では塗装ロボット５０２から例えば有機溶剤を溶媒とした塗料が対象物（被塗装物）５０４に向けてミスト状に噴霧される。そのため、対象物５０４に付着しなかった、オーバーミストと呼ばれる塗装ミスト５０３が、塗装ブース５０１内に充満する。塗装ミスト５０３を含む空気を送風機５０５によってそのまま排出すると外の環境が塗装ミスト５０３によって大きく汚染されてしまう。そのため、塗装ブース５０１と送風機５０５の間に捕集室５２０を備えた湿式捕集装置５０６が設置されている。
【０００５】
湿式捕集装置５０６は、塗装ブース５０１に敷設された格子状のグレーチング５０７の下方に設けられている。塗装ミスト５０３を含む空気は上方側から湿式捕集装置５０６へと吸い込まれる。湿式捕集装置５０６において、まずは塗装ミスト５０３を含む空気と水５０８とが接触混合される第１ベンチュリ５０９へと塗装ミスト５０３を含む空気が導かれる。第１ベンチュリ５０９は、上方側から水５０８を落下供給する貯水桶５１０と傾斜板Ａ５１１とを配列することによって得た隙間である。そして貯水桶５１０の左右に設けられた貯水槽５１２から傾斜板Ａ５１１を通して別途水５０８が供給され、その水５０８は傾斜板Ａ５１１を伝って第１ベンチュリ５０９へと導かれる。
【０００６】
第１ベンチュリ５０９はノズル状に狭まった形をしており、塗装ブース５０１から導かれた空気が通過速度を高められた状態で通過する。第１ベンチュリ５０９に導かれた水５０８は高速で流れる空気に巻き込まれて引き裂かれ、ミスト状となる。そして第１ベンチュリ５０９内で空気とミスト状の水５０８は混合され、空気中に含まれる塗装ミスト５０３は接触してミスト状の水５０８に取り込まれる。その後、空気と水５０８は２枚の傾斜板Ｂ５１３で形成された第２ベンチュリ５１４に導かれ、そこでも空気とミスト状の水５０８は混合され、空気中の塗装ミスト５０３は接触してミスト状の水５０８に取り込まれる。
【０００７】
ミスト状の水５０８は重力によって第２ベンチュリ５１４の下方に設けられた処理水槽５１５に落下する。落下せずに空気の流れに乗っかったミスト状の水５０８は第２ベンチュリ５１４の下流側に設けられた邪魔板５１６と衝突し、その後、傾斜板Ｃ５１７を伝って処理水槽５１５に集められる。処理水槽５１５に集められた水５０８は捕集した塗装ミスト５０３を含有する。そのため、アルミン酸ナトリウムなどを含有する凝集剤が投入され、水５０８の中に分散した塗装ミスト５０３が凝集して塊（以後スラッジとする）となる。その後、水５０８は分離装置５１８を通過することでスラッジとある程度塗装ミスト５０３が除去された水５０８とに分けられる。スラッジを分離して得た水５０８はポンプ５１９によって貯水槽５１２に汲み上げられ、再度第１ベンチュリ５０９に送られて塗装ミスト５０３の捕集に使用される。
【先行技術文献】
【特許文献】
【０００８】
【特許文献１】特開平６−２５４４５４号公報（第５頁、図１）
【発明の概要】
【発明が解決しようとする課題】
【０００９】
このような従来の湿式捕集装置は一般的に濾紙重量法で８０〜９０％程度の捕集効率が得られるが、さらに捕集効率を高めることが求められている。
【００１０】
塗装ミストを捕集するために大量の水を使うため、塗装ミストを含んだ水が大量に発生する。そのため水中の塗装ミストを凝集してスラッジにするための凝集剤が大量に必要になる。それと同時に水そのものの交換廃棄量が多くなり、捕集に必要な水の使用量が増大し、水のコストが多くかかるという課題がある。
【００１１】
そこで本開示は、上記従来の課題を解決するものであり、捕集効率を高め、使用する水のコストを低減する塗装ミスト捕集装置を提供することを目的とする。
【課題を解決するための手段】
【００１２】
上記目的を達成するために、本開示の一の態様にかかる塗装ミスト捕集装置は、塗装室から吸引した塗装ミスト含有気体を水とともに通過させて捕集室へと導く風路を有し、風路を通過させることで塗装ミスト含有気体から塗装ミストを分離する捕集部と、捕集部の上流側にて水を供給する水供給装置と、風路の入り口である気水取り込み口に向かう勾配を有し、水供給装置から供給された水を気水取り込み口に導く導水板と、捕集部を通じて捕集室内に導かれた気体を、捕集室外部へ排気する送風機と、を備え、捕集部は、気水取り込み口に接続された上流側通路を外周側とし、下流側通路を中央側として、水平方向に配置された旋回軸回りに旋回する風路である渦巻き状通路と、下流側通路が接続され、旋回軸方向において捕集室内へ開口された吐出口と、渦巻き状通路に設けられ、通路断面が絞られた絞り部と、を備える、ものである。
【発明の効果】
【００１３】
本開示によれば、捕集効率を高め、塗装ミストの捕集で使用する水の処理コストを低減できる塗装ミスト捕集装置を提供することができる。
【図面の簡単な説明】
【００１４】
【図１】本開示の一の実施の形態の塗装ミスト捕集装置の全体を示す構成図
【図２】実施の形態の塗装ミスト捕集装置の断面斜視図
【図３】実施の形態の塗装ミスト捕集装置の捕集部の外観図
【図４】実施の形態の塗装ミスト捕集装置の捕集部の外観図
【図５】実施の形態の塗装ミスト捕集装置の捕集部の断面を示す構成図
【図６】実施の形態の塗装ミスト捕集装置の断面斜視図
【図７】塗装ブースに用いられる従来の湿式捕集装置を示す構成図
【発明を実施するための形態】
【００１５】
本開示の第１態様の塗装ミスト捕集装置は、塗装室から吸引した塗装ミスト含有気体を水とともに通過させて捕集室へと導く風路を有し、風路を通過させることで塗装ミスト含有気体から塗装ミストを分離する捕集部と、捕集部の上流側にて水を供給する水供給装置と、風路の入り口である気水取り込み口に向かう勾配を有し、水供給装置から供給された水を気水取り込み口に導く導水板と、捕集部を通じて捕集室内に導かれた気体を、捕集室外部へ排気する送風機と、を備え、捕集部は、気水取り込み口に接続された上流側通路を外周側とし、下流側通路を中央側として、水平方向に配置された旋回軸回りに旋回する風路である渦巻き状通路と、下流側通路が接続され、旋回軸方向において捕集室内へ開口された吐出口と、渦巻き状通路に設けられ、通路断面が絞られた絞り部と、を備える、ものである。
【００１６】
本開示の第２態様の塗装ミスト捕集装置は、第１態様の塗装ミスト捕集装置において、捕集部において、渦巻き状通路は、旋回軸回りに渦巻き状に配置された壁部材により画定され、壁部材は、渦巻き状通路の外周側壁となる円弧状の外周側部分と、外周側部分よりも内側に配置され、渦巻き状通路の内周側壁となる内周側部分とを有し、壁部材の内周側部分には複数の折れ曲がり部が絞り部として設けられている、ものである。
【００１７】
本開示の第３態様の塗装ミスト捕集装置は、第１態様または第２態様の塗装ミスト捕集装置において、吐出口が向かい合うように、捕集部が複数配列されている、ものである。
【００１８】
本開示の第４態様の塗装ミスト捕集装置は、第１から第３態様のいずれか１つの塗装ミスト捕集装置において、渦巻き状通路の上流側通路において、気水取り込み口への接続部分は上下方向に延在している、ものである。
【００１９】
以下に、本開示にかかる実施の形態を図面に基づいて詳細に説明する。
【００２０】
（実施の形態）
本開示の一の実施の形態にかかる塗装ミスト捕集装置を図１に示し、断面斜視図を図２に示す。塗装室である塗装ブース１内では塗装ロボット２が吹き付ける塗装ミスト３によって対象物４が塗装される。塗装ミスト３のうち対象物４に付着できなかったものはオーバーミストと呼ばれ、空気中に漂う。このようにオーバーミストが漂った状態では、次に塗装処理される対象物４に空気中に漂う塗装ミスト３が付着して塗装品質を下げてしまう。そのため、空調・換気され、かつある程度清浄化された空気が天井から下へと塗装ブース１内へ送り込まれる。そして塗装ミスト３を含む空気（以降、「塗装ミスト含有気体」とする。）はグレーチング５の下方に設置された気水取り込み口６を通じて塗装ミスト捕集装置７に吸い込まれる。こうして空気中に漂う塗装ミスト３は塗装ブース１内から速やかに排出される。図１では、空気（塗装ミスト含有気体を含む）の流れを符号１１で示し、水の流れを符号１２で示している。
【００２１】
本実施の形態の塗装ミスト捕集装置７の構成を具体的に説明する。塗装ミスト捕集装置７は、捕集部１３と、水供給装置３０と、第１導水板１０と、捕集室３２と、送風機１４とを備える。なお、本実施の形態の塗装ミスト捕集装置７は、湿式処理装置である。
【００２２】
捕集部１３は、塗装ブース１から吸引した塗装ミスト含有気体を水とともに通過させて捕集室３２へと導く風路３１を有し、風路３１を通過させることで塗装ミスト含有気体から塗装ミストを分離する機能を有する。風路３１の入口（図１の上方側の開口）が、塗装ブース１からの塗装ミスト含有気体と、水供給装置３０から供給される水９とを取り込む気水取り込み口６となっている。なお、捕集部１３の詳細な構造については後述する。
【００２３】
水供給装置３０は、捕集室３２内に設けられた処理水槽２３と、処理水槽２３内の水９をくみ上げて捕集部１３の上流側に供給するポンプ２８とを備える。また、水供給装置３０は、ポンプ２８により供給された水９を貯留し、貯留した水をオーバーフローさせて気水取り込み口６に向けて供給する貯水槽８を備える。水供給装置３０は、捕集部１３の上流側にて気水取り込み口６へ水９を供給するものである。
【００２４】
処理水槽２３は、捕集室３２内に導かれ、かつ塗装ミストを取り込んだ水９を貯留して回収する水槽である。処理水槽２３内には、凝集剤が投入され、水９の中に含まれる塗装ミストは凝集してスラッジとなる。ポンプ２８は、配管を通じて処理水槽２３と貯水槽８とに接続されている。処理水槽２３とポンプ２８との間には分離装置２７が設けられており、分離装置２７は水９とスラッジとを分離する。その結果、ポンプ２８は、塗料の含有量が低減された水９を貯水槽８に供給することができる。
【００２５】
捕集室３２は、側壁と底部と上壁により画定された内部空間を有する。捕集室３２の上壁は、例えば、貯水槽８と第１導水板１０とにより構成されている。貯水槽８は、図１の捕集室３２の上壁の左右端縁側にそれぞれ配置されている。第１導水板１０は、それぞれの貯水槽８の上端より、塗装ミスト捕集装置７の中央側に配置された気水取り込み口６に向かって下降する勾配を有する。このような構成により、貯水槽８にてオーバーフローした水９を、それぞれの第１導水板１０の勾配により気水取り込み口６に導くことが可能となっている。すなわち、第１導水板１０は、水供給装置３０から供給される水９を気水取り込み口６へ導くものである。
【００２６】
捕集室３２内において、風路３１の出口には吐出ガイド１９が設けられている。吐出ガイド１９は、風路３１の出口から流れ出る水９を、捕集室３２の底部に配置された処理水槽２３に導くものである。
【００２７】
捕集室３２内において、風路３１の出口と送風機１４の吸い込み口との間には、全体的な空気の流れ方向に対して交差する方向に配置された複数の邪魔板２４が配置されている。これらの邪魔板２４の間に形成された通路２５を空気が通過する際に、邪魔板２４に空気が衝突することより空気中に残存している水９が取り除かれて落下する。それぞれの邪魔板２４の下方には、落下した水９を処理水槽２５に導く第２導水板２６が設けられている。
【００２８】
送風機１４は、複数の邪魔板２４により水が取り除かれた空気を捕集室３２の外部へと吸引して排気する。また、風路３１を通じて気水取り込み口６の上流側にまで所定の吸引力が作用するように、送風機１４の能力および風路３１等を含む吸引経路の抵抗（圧力損失）が設定されている。なお、送風機１４により送り出される空気の一部を、塗装ブースに空調された空気として戻すようにしてもよい。この場合、空気の温度・湿度などを調節する空気調和機を設けてもよい。
【００２９】
次に、捕集部１３の詳細な構造について説明する。捕集部１３の外観図（斜視図）を図３および図４に示す。また、捕集部１３の断面図を図５に示す。
【００３０】
捕集部１３は、気水取り込み口６から導入される塗装ミスト含有気体と水とを混合し、塗装ミストを水に取り込むとともに、塗装ミストを取り込んだ水と、空気とを分離する機能を有する。
【００３１】
捕集部１３は、気水取り込み口６に接続（連通）され、捕集室３２内に開口する吐出口４５に接続（連通）された渦巻き状通路４０を、風路３１として備える。
【００３２】
捕集部１３において、渦巻き状通路４０は、水平方向に配置された旋回軸回りに旋回する風路であって、気水取り込み口６に接続された上流側通路４０ａを外周側とし、下流側通路４０ｂを中央側（上流側通路４０ａよりも内周側）としている。すなわち、渦巻き状通路４０は外周側から内周側に向かって旋回する流路となっている。
【００３３】
具体的には、図５に示すように、渦巻き状通路４０は、旋回軸回りに渦巻き状に配置された壁部材４１により画定されている。また、図３および図４に示すように、壁部材４１の旋回軸方向の両端には、旋回軸と直交するように側壁部材４４が固定されている。それぞれの側壁部材４４の中央部分には、旋回軸方向に開口された吐出口４５が設けられており、吐出口４５は捕集室３２内へと開口している。それぞれの吐出口４５には、渦巻き状通路４０の下流側通路４０ｂが接続されている。なお、本実施の形態では、それぞれの吐出口４５の略中央に旋回軸が位置している。
【００３４】
また、渦巻き状通路４０の上流側通路４０ａにおける気水取り込み口６への接続部分は、概ね上下方向に延在する上下通路部分４６となっている。
【００３５】
図５に示すように、壁部材４１は、渦巻き状通路４０の外周側の壁となる外周側部分４２と、外周側部分４２よりも内側（旋回軸側）に配置され、渦巻き状通路４０の内周側の壁となる内周側部分４３とを有する。
【００３６】
図５に示すように、壁部材４１の外周側部分４２は円弧状の断面形状を有する。壁部材４１の内周側部分４３は、直線状の断面形状を有する壁部材４１が複数箇所折り曲げられて、旋回軸を周回するような形態に構成されている。この折り曲げられた部分が折り曲げ部４７となっており、折り曲げ部４７において隣接する壁部材４１の間に角が形成されている。図５に示す形態では、折り曲げ部４７における角は、例えば鈍角となっている。
【００３７】
図５に示すように、渦巻き状通路４０において、折り曲げ部４７の形成位置では、その前後近傍の通路と比して通路断面が絞られている。この通路断面が絞られた部分が絞り部４８となっており、渦巻き状通路４０では、複数の絞り部４８が流れ方向に沿って設けられている。なお、絞り部４８は、壁部材４１における内周側部分４３の折り曲げ部４７と、円弧状の外周側部分４２との間だけではなく、内周側部分４３における直線状部分と、さらにその内側に配置されている内周側部分４３の折り曲げ部４７との間にも設けられている。
【００３８】
図６に塗装ミスト捕集装置７の断面斜視図を示す。図２および図６に示すように、塗装ミスト捕集装置７は複数の捕集部１３を備えている。捕集室３２の上壁には、複数の気水取り込み口６が、捕集部１３の旋回軸方向に沿って配列して設けられており、それぞれの気水取り込み口６には、捕集部１３が接続されている。隣接する捕集部１３は、互いの吐出口４５が所定距離だけ離間しながら向かい合うように配置されている。
【００３９】
また、図２および図６に示すように、吐出ガイド１９は、例えば、全ての捕集部１３の吐出口４５の下方をカバーするように、捕集部１３の配列方向に延在して配置されている。また、吐出ガイド１９は、捕集部１３における壁部材４１の円弧状の外周側部分４２の下部に沿って設けられ、処理水槽２３に向かうような勾配を有している。
【００４０】
このような構成を有する本実施の形態の塗装ミスト捕集装置７の動作について説明する。
【００４１】
まず、送風機１４を駆動させることにより、捕集室３２内の空気が排気されるとともに、風路３１を通して、気水取り込み口６の上流側に吸引力が作用する。これにより、グレーチング５を通して、塗装ミスト含有気体がそれぞれの気水取り込み口６に吸い込まれる。また、それぞれの貯水槽８からオーバーフローした水が、第１導水板１０により気水取り込み口６に導かれ、気水取り込み口６内に吸い込まれる、あるいは重力の作用により落下する。
【００４２】
気水取り込み口６を通じて捕集部１３における上下通路部分４６内に塗装ミスト含有気体と水とが取り込まれる。その後、取り込まれた塗装ミスト含有気体と水とは、渦巻き状通路４０内へと吸い込まれる。図５に示す渦巻き状通路４０において、絞り部４８では、その通路断面が絞り込まれているため、塗装ミスト含有気体と水とが噴出するように通過する。この噴出によって水は微細化してミスト状となり、ミスト状となった水と塗装ミスト含有気体とが激しく混合され、この混合の過程において、塗装ミスト含有気体に含まれる塗装ミストがミスト状となった水と接触して取り込まれる。
【００４３】
渦巻き状通路４０には、流れ方向に沿って複数の絞り部４８が設けられているため、このような混合が繰り返され、塗装ミスト含有気体に含まれる塗装ミストがミスト状となった水と接触して取り込まれる。また、渦巻き状通路４０は、旋回軸回りに旋回する通路でもあるため、旋回エネルギの効果とも相まって、塗装ミスト含有気体と水との混合効果を高めることができる。
【００４４】
その後、塗装ミストを取り込んだ水と、空気（気体）は、角度を旋回軸方向に９０度曲げながら、吐出口４５から排出される。隣接する捕集部１３において、互いに吐出口４５が向かい合って配置されているため、それぞれの吐出口４５から排出された流体（水と空気）は、正面から互いにぶつかり合う。その過程において、空気中に残存している塗装ミストはさらに水に取り込まれる。それと同時に排出された塗装ミストを取り込んだ水同士が結合して大きな水の塊となり、塗装ミストを取り込んだ水と、空気とが分離される。
【００４５】
塗装ミストを取り込んだ水９と、空気は、吐出ガイド１９に沿って斜め下方へと誘導され、水９は処理水槽２３へ落下し、空気は邪魔板２４の間の通路２５へと導かれる。空気の中に残る水９は、空気が邪魔板２４に衝突するよって取り除かれ、水が取り除かれた空気は送風機１４により装置外部へ排出される。なお、邪魔板２４にて取り除かれた水は、落下して第２導水板２６により処理水槽２３に導かれる。
【００４６】
処理水槽２３では、凝集剤が投入されることにより、塗装ミストは凝集してスラッジとなる。その後、スラッジを含む水が分離装置２７を通過することにより、スラッジが分離して捕集され、スラッジが取り除かれた水がポンプ２８によって再び貯水槽８へと送り出される。
【００４７】
本実施の形態の塗装ミスト捕集装置７によれば、捕集部１３が薄巻き状通路４０を有し、渦巻き状通路４０において通路断面が絞り込まれた複数の絞り部４８を設けている。それぞれの絞り部４８を通過する際に、塗装ミスト含有気体と水とが噴出して混合され、この混合の過程において、塗装ミスト含有気体に含まれる塗装ミストをミスト状となった水に取り込むことができる。
【００４８】
よって、塗装ミスト含有気体と水とを効率よく混合して、塗装ミストを分離して捕集することができるため、塗装ミストの捕集に必要な水の使用量を少なくすることができる。また、水の使用量を低減することで、凝集剤の使用量も少なくすることができ、水の使用に伴う各種コストを低減することができる。
【００４９】
また、水の使用量を少量とすることができるため、大量の水を使用するような場合に比して、塗装ミスト捕集後の空気の湿度の大幅な上昇を抑制することができる。したがって、例えば、塗装ミストを捕集した空調済みの空気を塗装ブース１に戻すような空気調和機を備えるような装置構成においては、空調コストを低減することができる。
【００５０】
また、捕集部１３では、風路３１として渦巻き状通路４０が設けられているため、細くて長い通路をコンパクトに設けることが可能となる。
【００５１】
上述の実施の形態では、渦巻き状通路４０内の絞り部４８が折り曲げ部４７により形成されている場合を例としたが、通路を絞り込むような形態であれば、絞り部はいかなる形態であってもよい。例えば、壁部材４１に突出部分を設けて通路を絞り込むようにしてもよい。このような突出部分は、壁部材４１自体を加工して形成する場合に限られず、壁部材４１に別の部材を設けることで形成してもよい。
【００５２】
また、渦巻き状通路４０内に複数の絞り部４８が設けられる場合を例としたが、絞り部４８は少なくとも１つ設けられていればよい。ただし、複数の絞り部４８を設けることで、通過する流体に対して混合効果を高めることが可能となる。
【００５３】
また、複数の捕集部１３が配列されている場合を例としたが、例えば、１台のみの捕集部１３を設けるようにしてもよい。この場合、旋回軸方向の装置の奥行きに合わせて、捕集部１３を延在させるようにしてもよい。ただし、複数の捕集部１３を互いの吐出口４５が向かい合うように配置させることで、吐出される流体同士を衝突させて、気水分離の効果を高めることができる。
【００５４】
なお、上記様々な実施の形態のうちの任意の実施の形態を適宜組み合わせることにより、それぞれの有する効果を奏するようにすることができる。
【産業上の利用可能性】
【００５５】
本開示にかかる塗装ミスト捕集装置は、塗装ミストに対する捕集効率を高めることができると同時に使用する水のコストを削減できる。また、塗装ミスト捕集装置が空気調和機を備えるような装置構成を有する場合には、空調コストを低減できる。よって、自動車や家電製品などの塗装工程の品質を向上させると同時に塗装工程にかかる運用コストを削減できる装置として有用である。
【符号の説明】
【００５６】
１  塗装ブース
２  塗装ロボット
３  塗装ミスト
４  対象物
５  グレーチング
６  気水取り込み口
７  塗装ミスト捕集装置
８  貯水槽
９  水
１０  第１導水板
１１  空気の流れ
１２  水の流れ
１３  捕集部
１４  送風機
１９  吐出ガイド
２３  処理水槽
２４  邪魔板
２５  通路
２６  第２導水板
２７  分離装置
２８  ポンプ 
３０  水供給装置
３１  風路
３２  捕集室
４０  渦巻き状通路
４１  壁部材
４２  外周側部分
４３  内周側部分
４４  側壁部材
４５  吐出口
４６  上下通路部分
４７  折り曲げ部
４８  絞り部
【図１】
2017140585.tif 000003
【図２】
2017140585.tif 000004
【図３】
2017140585.tif 000005
【図４】
2017140585.tif 000006
【図５】
2017140585.tif 000007
【図６】
2017140585.tif 000008
【図７】
2017140585.tif 000009